(57)【要約】  【構成】  吊下げ式表示装置１０は、前面側に表示パネル１４が設けられる筐体１２を備え、吊り部材（１００）によって天井（１０２）等から吊り下げられて使用される。筐体の上部には、固定位置が前後方向に変更可能である吊り部材取付部２０が設けられる。また、吊下げ式表示装置は、表示パネルが所望の傾斜角度となるように吊下げ式表示装置を吊下げるための吊り部材取付部の固定位置を表示する目盛り部３０を備える。  【効果】  目盛り部を目安とすることで、表示パネルが所望の傾斜角度となるように、吊下げ式表示装置を簡単に吊下げ設置することができる。【選択図】  図３
2017111249.tif 000002
【特許請求の範囲】
【請求項１】
前面側に表示パネルが設けられる筐体を備え、吊り部材によって吊り下げられて使用される吊下げ式表示装置であって、
前記筐体の上部に設けられ、固定位置が少なくとも前後方向に変更可能である吊り部材取付部、および
前記表示パネルを所望の傾斜角度にするための前記吊り部材取付部の固定位置を表示する目盛り部を備える、吊下げ式表示装置。
【請求項２】
前記筐体にはオプションを装着可能であり、
前記目盛り部は、前記オプションに応じた前記吊り部材取付部の固定位置を表示する、請求項１記載の吊下げ式表示装置。
【請求項３】
前記目盛り部は、前記表示パネルの傾斜角度に応じた前記吊り部材取付部の固定位置を表示する、請求項１または２記載の吊下げ式表示装置。
【請求項４】
前記筐体は、背面側上部に形成される少なくとも上方開放の窪み部を有し、
前記吊り部材取付部は、前記窪み部内に設けられる、請求項１ないし３のいずれかに記載の吊下げ式表示装置。
【発明の詳細な説明】
【技術分野】
【０００１】
この発明は吊下げ式表示装置に関し、特にたとえば、前面側に表示パネルが設けられる筐体を備え、吊り部材によって吊り下げられて使用される、吊下げ式表示装置に関する。
【背景技術】
【０００２】
近年、液晶ディスプレイ等を備える表示装置は、大型化かつ軽量化が実現されたことから、駅および空港などの公共交通機関または商業施設などにおいて、天井から吊り下げられて使用される機会が増えている。
【０００３】
特許文献１には、従来の吊下げ式表示装置の一例が開示される。特許文献１の吊下げ式表示装置は、前面側に表示パネルが設けられるケース（筐体）を備え、このケースの上面には、フック部が前後方向に移動可能に取り付けられる。
【０００４】
特許文献１の吊下げ式表示装置を天井から吊り下げるときには、フック部をケースの上面に目算で仮固定した後、天井に一端が固定されたチェーンの他端をフック部に係止することによって、吊下げ式表示装置を吊り下げる。そして、表示パネルの傾斜状態を確認した後、フック部をケースの上面において前後方向に移動させて位置調整してから、フック部をケースの上面に固定することによって、表示パネルを所望の傾斜角度（チルト角度）に調整する。
【先行技術文献】
【特許文献】
【０００５】
【特許文献１】実開平３−４３６８２号公報
【発明の概要】
【発明が解決しようとする課題】
【０００６】
特許文献１の技術では、ケースに対するフック部の仮固定を目算で行った後、吊下げ式表示装置を吊り下げて表示パネルの傾斜状態を確認してから、フック部の位置調整を行わないといけないので、手間がかかる。また、吊下げ式表示装置を天井に吊り下げた状態でフック部の位置調整を行うことは、高所での作業となり、危険である。
【０００７】
それゆえに、この発明の主たる目的は、新規な、吊下げ式表示装置を提供することである。
【０００８】
この発明の他の目的は、表示パネルが所望の傾斜角度となるように簡単に吊下げ設置することができる、吊下げ式表示装置を提供することである。
【課題を解決するための手段】
【０００９】
第１の発明は、前面側に表示パネルが設けられる筐体を備え、吊り部材によって吊り下げられて使用される吊下げ式表示装置であって、筐体の上部に設けられ、固定位置が少なくとも前後方向に変更可能である吊り部材取付部、および表示パネルを所望の傾斜角度にするための吊り部材取付部の固定位置を表示する目盛り部を備える、吊下げ式表示装置である。
【００１０】
第１の発明では、吊下げ式表示装置は、デジタルサイネージ等の表示装置であって、ワイヤ等の吊り部材によって天井等から吊り下げられて使用される。吊下げ式表示装置は、前面側に表示パネルが設けられる筐体を備え、筐体の上部には、固定位置が少なくとも前後方向に変更可能である吊り部材取付部が設けられる。また、吊下げ式表示装置は、表示パネルが所望の傾斜角度となるように吊下げ式表示装置を吊下げるための吊り部材取付部の固定位置を表示する目盛り部を備える。
【００１１】
第１の発明によれば、吊り部材取付部の固定位置を表示する目盛り部を設けたので、それを目安とすることで、吊下げ式表示装置を所望の傾斜角度に簡単に吊下げ設置することができる。
【００１２】
第２の発明は、第１の発明に従属する発明である。第２の発明では、筐体にはオプションを装着可能であり、目盛り部は、オプションに応じた吊り部材取付部の固定位置を表示する。すなわち、目盛り部は、オプションの装着によって変わる吊下げ式表示装置の重心位置に応じた吊り部材取付部の固定位置を示す。
【００１３】
第２の発明によれば、オプションに応じた吊り部材取付部の固定位置を表示する目盛り部を設けたので、オプションの有無またはオプションの種類によらず、表示パネルが所望の或る傾斜角度（たとえば前傾なしの正立状態）となるように、吊下げ式表示装置を簡単に吊下げ設置することができる。
【００１４】
第３の発明は、第１または第２の発明に従属する発明である。第３の発明では、目盛り部は、表示パネルの傾斜角度に応じた吊り部材取付部の固定位置を表示する。すなわち、目盛り部は、吊り下げたい表示パネルの傾斜角度によって変わる吊り部材取付部の固定位置を示す。
【００１５】
第３の発明によれば、表示パネルの傾斜角度に応じた吊り部材取付部の固定位置を表示する目盛り部を設けたので、表示パネルが所望の傾斜角度となるように吊下げ式表示装置を簡単に吊下げ設置することができる。
【００１６】
第４の発明は、第１ないし第３のいずれかの発明に従属する発明である。第４の発明では、筐体は、背面側上部に形成される少なくとも上方開放の窪み部を有し、この窪み部内に吊り部材取付部が設けられる。
【００１７】
第４の発明によれば、突起物が筐体の外側に突出しないので、美感に優れる。さらに、窪み部内に吊り部材取付部を設けることによって、吊下げ式表示装置の重心位置の近くに吊り部材取付部を配置できるようになるので、吊下げ式表示装置を吊下げ設置した際の安定度が増す。
【発明の効果】
【００１８】
この発明によれば、吊り部材取付部の固定位置を表示する目盛り部を設けたので、それを目安とすることで、吊下げ式表示装置を所望の傾斜角度に簡単に吊下げ設置することができる。
【００１９】
この発明の上述の目的、その他の目的、特徴および利点は、図面を参照して行う後述の実施例の詳細な説明から一層明らかとなろう。
【図面の簡単な説明】
【００２０】
【図１】この発明の第１実施例の吊下げ式表示装置を天井に吊り下げた様子を示す図解図である。
【図２】図１の吊下げ式表示装置を示す背面図である。
【図３】図１の吊下げ式表示装置の吊り部材取付部の周辺部分を示す斜視図である。
【図４】図１の吊下げ式表示装置が備える吊り部材取付部およびブラケットを分解した状態を示す図解図である。
【図５】オプションの装着によって吊下げ式表示装置の重心位置が変わる様子を簡略的に説明するための図解図であって、(Ａ)はオプションを装着しない標準状態を示し、(Ｂ)は第１オプションを装着した状態を示し、(Ｃ)は第２オプションを装着した状態を示す。
【図６】この発明の第２実施例の吊下げ式表示装置を示す背面図である。
【図７】この発明の第３実施例の吊下げ式表示装置を示す上面図である。
【図８】この発明の第４実施例の吊下げ式表示装置の吊り部材取付部の周辺部分を示す斜視図である。
【図９】この発明の第５実施例の吊下げ式表示装置の吊り部材取付部の周辺部分を示す斜視図である。
【発明を実施するための形態】
【００２１】
［第１実施例］
図１を参照して、この発明の第１実施例である吊下げ式表示装置１０（以下、単に「表示装置１０」と言う。）は、デジタルサイネージおよびテレビジョン等の表示装置であって、駅および空港などの公共交通機関または娯楽施設などにおいて、ワイヤおよびチェーン等の吊り部材１００によって天井１０２等から吊り下げられて使用される。ただし、表示装置１０の適用形態は特に限定されず、表示装置１０を吊下げ設置する場所も特に限定されないことを予め指摘しておく。
【００２２】
以下、表示装置１０の構成について説明する。図１および図２に示すように、表示装置１０は、横長の矩形板状の筐体１２を備え、この筐体１２の前面側には、表示パネル（ディスプレイ）１４が設けられる。この第１実施例では、筐体１２は、前面側筐体部１２ａと背面側筐体部１２ｂとを組み合わせることで構成される。前面側筐体部１２ａは、表示パネル１４の外周部を支持する額縁状に形成される。背面側筐体部１２ｂは、表示パネル１４の背面側に所定空間を形成するように、表示パネル１４の背面側を覆う。
【００２３】
表示パネル１４としては、液晶ディスプレイ、プラズマディスプレイおよび有機ＥＬ（Electro Luminescence）ディスプレイ等を用いることができる。表示パネル１４の表示面（画面）の大きさは、たとえば４０〜７０インチである。なお、図示は省略するが、表示パネル１４の背面側、つまり筐体１２の内部には、発光ダイオード等のバックライトおよび各種の回路基板などが適宜設けられる。
【００２４】
また、筐体１２の背面側上部、つまり背面側筐体部１２ｂの上部には、横方向（左右方向）の中央部において、上方および後方が開放される直方体状の窪み部１６が形成される。そして、この窪み部１６の左右の内側面のそれぞれには、互いに対向するように、ブラケット１８を介して吊り部材取付部２０が設けられる。なお、この第１実施例では、ブラケット１８を窪み部１６に固定し易いように、窪み部１６を後方（背面側）にも開放させているが、窪み部１６は、少なくとも上方に開放されていればよい。
【００２５】
図３および図４に示すように、ブラケット１８は、筐体１２に対して吊り部材取付部２０を前後方向に移動可能に取り付けるための支持具である。ブラケット１８は、平板状の縦壁部１８ａと縦壁部１８ａの上端部および下端部に形成されるＬ字板状の固定部１８ｂとを含む。各固定部１８ｂには、２つの孔２２が前後方向に並ぶように形成される。これら孔２２にねじ２４を挿通してねじ止めすることによって、窪み部１６の内側面に対してブラケット１８が固定される。また、ブラケット１８の縦壁部１８ａには、前後方向に延びる長孔２６が形成される。
【００２６】
吊り部材取付部２０は、天井１０２に一端が固定された吊り部材１００の他端と連結される部分であり、吊り部材取付部２０としては、たとえば頭部がリング状に形成されるアイボルトが用いられる。吊り部材取付部２０は、ブラケット１８の長孔２６に軸部を挿入した後、ねじ先からナット２８を取り付けることで、ブラケット１８に対して固定される。この際、吊り部材取付部２０は、長孔２６の長手方向（つまり前後方向）において、その固定位置を変更可能である。
【００２７】
このような表示装置１０の背面側には、図５に示すように、機能を追加したり性能を高めたりするために、ユーザが選択的に追加装備するコントローラユニット（小型のパソコンユニット）等のオプション５０,５２が取り付けられる場合がある。表示装置１０の背面側にオプション５０,５２が取り付けられると、オプション５０,５２を含む表示装置１０全体の重心位置は、後方に移動する。また、重心位置の変位量は、重量の小さい第１オプション５０が装着されたときよりも、重量の大きい第２オプション５２が装着されたときの方が大きくなる。
【００２８】
ここで、表示装置１０を前傾なしの正立状態で吊り下げたい場合には、表示装置１０の重心位置の鉛直上となる位置に吊り部材取付部２０を配置する必要がある。しかしながら、ユーザは、このままでは表示装置１０の重心位置が分からない。このため、吊り部材取付部２０の固定位置を目算で決定して表示装置１０を天井１０２等に吊り下げ、表示装置１０の傾斜状態を確認した後、表示装置１０が傾斜していれば吊り部材取付部２０の固定位置を調整して表示装置１０を再度吊り下げる、という面倒な作業を行う必要があった。
【００２９】
そこで、この第１実施例では、図３および図４に示すように、表示パネル１４を所望の傾斜角度（チルト角度）にするための、つまり表示パネル１４が所望の傾斜角度となるように表示装置１０を吊り下げるための吊り部材取付部２０の固定位置を表示する目盛り部３０を設けている。目盛り部３０は、たとえば、シールを張り付けたり、直接印字ないし刻印したりすることによって、ブラケット１８に設けられる。
【００３０】
具体的には、この第１実施例では、目盛り部３０は、三角マーク３０ａおよび文字３０ｂ等を含み、オプションに応じた吊り部材取付部２０の固定位置を表示する。すなわち、目盛り部３０の各三角マーク３０ａは、オプションの装着によって変わる表示装置１０の重心位置の鉛直上方の位置を示している。ただし、目盛り部３０が有するマークおよび文字などの目盛りの具体的態様は、適宜変更可能である。
【００３１】
オプションを装着しない標準状態の表示装置１０を吊下げるときには、「Ｎ」の文字３０ｂが表示された三角マーク３０ａが示す固定位置において、吊り部材取付部２０をブラケット１８に取り付ける。また、第１オプション５０（図５参照）を装着した表示装置１０を吊下げるときには、「１」の文字３０ｂが表示された三角マーク３０ａが示す固定位置において、第２オプション５２（図５参照）を装着した表示装置１０を吊下げるときには、「２」の文字３０ｂが表示された三角マーク３０ａが示す固定位置において、吊り部材取付部２０をブラケット１８に取り付ける。そして、吊り部材取付部２０を所定位置に固定したブラケット１８を筐体１２の窪み部１６に取り付けた後、天井１０２等に一端が固定された吊り部材１００の他端を吊り部材取付部２０に連結することによって、表示装置１０を天井１０２等に吊り下げる。これによって、表示パネル１４が前傾なしの正立状態となるように表示装置１０が吊下げ設置される。
【００３２】
以上のように、この第１実施例によれば、オプションに応じた吊り部材取付部２０の固定位置を表示する目盛り部３０を設けたので、目盛り部３０を目安とすることで、オプションの有無またはオプションの種類によらず、表示パネル１４が所望の或る傾斜角度（この第１実施例では傾斜角度が０の状態、つまり前傾なしの正立状態）となるように、表示装置１０を簡単に吊下げ設置することができる。
【００３３】
また、この第１実施例では、筐体１２の背面側上部に窪み部１６を形成し、この窪み部１６内に納まるようにブラケット１８および吊り部材取付部２０を設けた、つまり突起物が筐体１２の外側に出ないようにしたので、美感に優れる。さらに、窪み部１６内に吊り部材取付部２０を設けることによって、表示装置１０の重心位置の近くに吊り部材取付部２０を配置できるようになるので、表示装置１０を吊下げ設置した際の安定度が増す。
【００３４】
なお、第１実施例では、目盛り部３０は、表示パネル１４が前傾なしの正立状態となる吊り部材取付部２０の固定位置を表示しているが、これ限定されない。目盛り部３０は、表示パネル１４が正立状態から所定角度（たとえば１０度）だけ前傾する姿勢となる吊り部材取付部２０の固定位置を表示することもできる。
【００３５】
また、第１実施例では、２種類のオプション５０,５２が装着可能であると想定して説明したが、表示装置１０に装着可能なオプションの種類は、１種類または３種類以上でもよい。
【００３６】
［第２実施例］
次に、図６を参照して、この発明の第２実施例の表示装置１０について説明する。第２実施例の表示装置１０は、ブラケット１８および吊り部材取付部２０を取り付ける位置が異なる以外は、第１実施例の表示装置１０と同じであるため、第１実施例と異なる内容について説明し、重複した説明については省略することにする。
【００３７】
簡単に説明すると、上述の第１実施例では、背面側筐体部１２ｂの上部の横方向中央部において窪み部１６を形成した。これに対して、第２実施例では、図６に示すように、背面側筐体部１２ｂの上部の横方向両側部に窪み部１６が形成され、これら窪み部１６内に納まるようにブラケット１８および吊り部材取付部２０が設けられる。また、ブラケット１８には、表示パネル１４を所望の傾斜角度にするための吊り部材取付部２０の固定位置を表示する目盛り部３０が設けられる。
【００３８】
この第２実施例においても、第１実施例と同様の作用効果を奏し、目盛り部３０を目安とすることで、表示パネル１４が所望の或る傾斜角度となるように表示装置１０を簡単に吊下げ設置することができる。
【００３９】
［第３実施例］
続いて、図７を参照して、この発明の第３実施例の表示装置１０について説明する。第３実施例の表示装置１０は、ブラケット１８および吊り部材取付部２０を取り付ける位置が異なる以外は、第１実施例の表示装置１０と同じであるため、第１実施例と異なる内容について説明し、重複した説明については省略することにする。
【００４０】
簡単に説明すると、第３実施例では、図７に示すように、筐体１２の背面上部に窪み部を形成することなく、背面側筐体部１２ｂの上面に対してブラケット１８および吊り部材取付部２０が横方向に並ぶように設けられる。また、ブラケット１８には、表示パネル１４を所望の傾斜角度にするための吊り部材取付部２０の固定位置を表示する目盛り部３０が設けられる。
【００４１】
第３実施例においても、第１実施例と同様の作用効果を奏し、目盛り部３０を目安とすることで、表示パネル１４が所望の或る傾斜角度となるように表示装置１０を簡単に吊下げ設置することができる。
【００４２】
［第４実施例］
続いて、図８を参照して、この発明の第４実施例の表示装置１０について説明する。第４実施例の表示装置１０は、目盛り部３０の表示する内容が異なる以外は、第１実施例の表示装置１０と同じであるため、第１実施例と異なる内容について説明し、重複した説明については省略することにする。
【００４３】
簡単に説明すると、第１実施例では、目盛り部３０は、オプションに応じた吊り部材取付部２０の固定位置を表示した。これに対して、第４実施例では、図８に示すように、目盛り部３０は、表示パネル１４の傾斜角度に応じた吊り部材取付部２０の固定位置を表示する。すなわち、目盛り部３０の各三角マークは、吊り下げたい表示パネル１４の傾斜角度によって変わる吊り部材取付部２０の固定位置を示している。
【００４４】
表示パネル１４が傾斜なしの正立状態となるように表示装置１０を吊下げるときには、「０」の文字が表示された三角マークが示す固定位置において、吊り部材取付部２０をブラケット１８に取り付ける。また、表示パネル１４が正立状態から１０度前傾する状態となるように表示装置１０を吊下げるときには、「１０」の文字が表示された三角マークが示す固定位置において、表示パネル１４が正立状態から２０度前傾する状態となるように表示装置１０を吊下げるときには、「２０」の文字が表示された三角マークが示す固定位置において、吊り部材取付部２０をブラケット１８に取り付ける。そして、吊り部材取付部２０を所定位置に固定したブラケット１８を筐体１２の窪み部１６に取り付けた後、天井１０２等に一端が固定された吊り部材１００の他端を吊り部材取付部２０に連結することによって、表示装置１０を天井１０２等に吊り下げる。これによって、表示パネル１４が所望の傾斜角度となるように表示装置１０が吊下げ設置される。
【００４５】
第４の発明によれば、表示パネル１４の傾斜角度に応じた吊り部材取付部２０の固定位置を表示する目盛り部３０を設けたので、目盛り部３０を目安とすることで、表示パネル１４が所望の傾斜角度となるように、表示装置１０を簡単に吊下げ設置することができる。
【００４６】
［第５実施例］
続いて、図９を参照して、この発明の第５実施例の表示装置１０について説明する。第５実施例の表示装置１０は、複数の目盛り部３０が設けられる以外は、第１実施例の表示装置１０と同じであるため、第１実施例と異なる内容について説明し、重複した説明については省略することにする。
【００４７】
この第５実施例では、図９に示すように、複数の目盛り部３０が設けられ、これら目盛り部３０は、オプション毎に、表示パネル１４の傾斜角度に応じた吊り部材取付部２０の固定位置を表示する。
【００４８】
たとえば、オプションを装着しない標準状態の表示装置１０において、表示パネル１４が傾斜なしの正立状態となるように表示装置１０を吊下げるときには、「Ｎ」の文字が表示された目盛り部３０の「０」の文字が表示された三角マークが示す固定位置において、吊り部材取付部２０をブラケット１８に取り付けるとよい。また、たとえば、第１オプション５０（図５参照）を装着した表示装置１０において、表示パネル１４が正立状態から２０度前傾する前傾状態となるように表示装置１０を吊下げるときには、「１」の文字が表示された目盛り部３０の「２０」の文字が表示された三角マークが示す固定位置において、吊り部材取付部２０をブラケット１８に取り付けるとよい。それ以外の固定位置についても同様である。
【００４９】
第５の発明によれば、複数の目盛り部３０を設けたので、これら目盛り部３０を目安とすることで、オプションの有無またはオプションの種類によらず、表示パネル１４が所望の傾斜角度となるように表示装置１０を簡単に吊下げ設置することができる。
【００５０】
ただし、目盛り部３０は、オプション毎に、表示パネル１４の傾斜角度に応じた吊り部材取付部２０の固定位置を表示する代わりに、表示パネル１４の傾斜角度毎に、オプションに応じた吊り部材取付部２０の固定位置を表示することもできる。
【００５１】
なお、上述の各実施例では、前後方向に延びる長孔２６をブラケット１８に形成することによって、吊り部材取付部２０の固定位置を前後方向に変更可能としたが、これに限定されない。図示は省略するが、たとえば、長孔２６の代わりに、前後方向に並ぶ複数の孔をブラケット１８に形成することによって、吊り部材取付部２０の固定位置を前後方向に変更可能とすることもできる。
【００５２】
また、上述の各実施例では、吊り部材取付部２０の固定位置を前後方向に変更可能としたが、これに加えて、吊り部材取付部２０の固定位置を左右方向にも変更可能にすることもできる。これは、オプション装着によって、表示装置１０の重心位置が左右方向にずれる場合にも対応できるようにするためである。この場合にも、装着するオプションに応じた吊り部材取付部２０の固定位置を表示する目盛り部３０を設けるとよい。
【００５３】
さらに、上述の各実施例では、横長の表示パネル１４を備える筐体１２を示したが、筐体１２および表示パネル１４は、縦長でもよいし、正方形でもよい。
【００５４】
なお、上述の実施例で挙げた寸法などの具体的な数値は一例であり、実際の製品に応じて適宜変更することが可能である。
【符号の説明】
【００５５】
１０  …表示装置
１２  …筐体
１４  …表示パネル
１６  …窪み部
１８  …ブラケット
２０  …吊り部材取付部
３０  …目盛り部
５０,５２  …オプション
１００  …吊り部材
【図１】
2017111249.tif 000003
【図２】
2017111249.tif 000004
【図３】
2017111249.tif 000005
【図４】
2017111249.tif 000006
【図５】
2017111249.tif 000007
【図６】
2017111249.tif 000008
【図７】
2017111249.tif 000009
【図８】
2017111249.tif 000010
【図９】
2017111249.tif 000011